(57)【要約】【課題】下顎を安定的に支持しつつ、快適に使用でき、しかもコンパクトで携帯性の高い下顎支持具を提供する。【解決手段】支持具本体２、クッション部材６３、クッション部材６４及びクッション部材６５で構成される。支持具本体２は、下顎支持部３、右鎖骨当接部４及び左鎖骨当接部５から成り、下顎支持部３から二股に延設されるように右鎖骨当接部４及び左鎖骨当接部５が設けられている。下顎支持部３の下顎部当接面３ａには、クッション部材６３が設けられる。また、右鎖骨当接部４の背面側にはクッション部材６４が設けられ、左鎖骨当接部５の背面側にはクッション部材６５が設けられる。右鎖骨当接部４において、下顎支持部３から延設された部位に貫通孔７ａが設けられる。同様に、左鎖骨当接部５において、下顎支持部３から延設された部位に貫通孔７ｂが設けられる。【選択図】図１
0003231323.tif 000002
【実用新案登録請求の範囲】
【請求項１】
ユーザの下顎部と鎖骨部とで挟持される支持具であって、
ユーザの下顎部と左右の鎖骨部の３箇所に当接して前記下顎部と前記鎖骨部とで挟持され、前記下顎部を支持することを特徴とする下顎支持具。
【請求項２】
硬質の素材で形成される支持具本体と、該支持具本体におけるユーザの下顎部と左右の鎖骨部に当接する部位に設けられた軟質のクッション部材と、から成ることを特徴とする請求項１に記載の下顎支持具。
【請求項３】
前記支持具本体は、下顎支持部と、該下顎支持部から二股に延設される右鎖骨当接部と左鎖骨当接部が設けられ、
前記下顎支持部の下顎部当接面と前記右鎖骨当接部の鎖骨部当接面との成す角度と、前記下顎支持部の下顎部当接面と前記左鎖骨当接部の鎖骨部当接面との成す角度は、何れも４０〜５０°であることを特徴とする請求項１又は２に記載の下顎支持具。
【請求項４】
前記クッション部材は、前記支持具本体の一部の外周縁に沿った形状を呈し、厚みが８〜１２ｍｍであることを特徴とする請求項２に記載の下顎支持具。
【請求項５】
前記支持具本体において、
前記クッション部材が設けられない部位に、少なくとも１つの貫通孔が設けられたことを特徴とする請求項２又は４に記載の下顎支持具。
【考案の詳細な説明】
【技術分野】
【０００１】
本考案は、椅子等に座ったまま仮眠をとる際の姿勢の保持をサポートする技術に関するものである。
【背景技術】
【０００２】
働き方改革が叫ばれる昨今、デスクワーク等を行う人々の仕事の生産率・効率向上のため、昼寝を導入する企業が増加している。昼寝は、必ずしもベッド等に横になって行う必要はなく、座っていても首を真っ直ぐにして仮寝をすることで質の良い睡眠がとれるといわれている。また、電車やバスなどの公共交通機関を利用する人の中には、車内で着座した状態で仮眠をとる人も存在する。
しかしながら、オフィスや電車、バスなどでは、寝たまま上を向いてしまい恥ずかしいといった問題や、居眠りの後、首が痛くなるという問題がある。
【０００３】
そこで、首元に挟んで使用する仮眠用あごのせ枕が知られている（非特許文献１を参照）。非特許文献１のあごのせ枕は、適度な硬さのあるウレタンフォームを芯材としており、電車などの揺れる車内でも快適に使用できるとする。
しかしながら、非特許文献１のあごのせ枕は、蒲鉾型の筒状を呈しており、使用する際には、顎、首及び胸部の全体を使って枕を挟む構造となっている。すなわち、首のどの位置で枕を挟むのかについては十分に考慮がなされていない。そのため、枕の挟持が十分でなく、使用中に脱落しやすいという問題や、枕が喉元を圧迫してしまうといった問題がある。
また、携帯性を高めるためにコンパクトな形状としているが、芯材の硬さのみで弾力性を調整しているため、ユーザの頭のサイズによっては、十分に頭部の重さを吸収できず、やはり使用後に首が痛くなってしまうという問題がある。これに対して、使用後に首が痛くならないように、芯材の硬さをより硬くすると、使用感が損なわれるという問題がある。
【０００４】
着座したユーザの顎を支持することで、首を楽にする技術としては、顎の下に装着して肩にかかる首の重さを軽減する顎枕（特許文献１を参照）や、緩衝材やバネの作用により顎を支える顎サポータが知られている（特許文献２を参照）。
しかしながら、特許文献１に開示された顎枕や、特許文献２に開示された顎サポータでは、何れも身体への固定にベルト等の締結具を用いてユーザの首に巻き付けて固定するため、使用時に頭部の重みが顎枕や顎サポータにかかると、首の後部に負荷がかかり、痛み等が生じやすくなるという問題がある。
【先行技術文献】
【特許文献】
【０００５】
【特許文献１】特開２０１５−１２３１５５号公報
【特許文献２】実用新案登録第３２０６２１８号公報
【非特許文献】
【０００６】
【非特許文献１】仮眠用あごのせ枕「AGO-MIN」  ウレタン・スポンジ通販サイト  スポンジホームセンター（https://www.sponge-homecenter.jp/AGO-MIN/）
【考案の概要】
【考案が解決しようとする課題】
【０００７】
上述のように、従来技術のあご枕等では、人間の骨格形状を有効に利用できていなかった。そのため、首や喉元への負担を減らしつつ、下顎を安定的に支持することができなかった。
上記状況に鑑みて、本考案は、下顎を安定的に支持しつつ、快適に使用でき、しかもコンパクトで携帯性の高い下顎支持具を提供することを目的とする。
【課題を解決するための手段】
【０００８】
上記目的を達成すべく、本考案の下顎支持具は、ユーザの下顎部と鎖骨部とで挟持される支持具であって、ユーザの下顎部と左右の鎖骨部の３箇所に当接して下顎部と鎖骨部とで挟持され、下顎部を支持する。
下顎部と左右の鎖骨部の３箇所で当接して挟持することにより、ユーザの下顎を安定的に支持でき、また喉元を圧迫することなく、快適に利用できる。ベルト等の締結具を用いることなく下顎を支持できるため、首を痛めることもなく、快適性の高い構造となっている。
【０００９】
本考案の下顎支持具は、硬質の素材で形成される支持具本体と、該支持具本体におけるユーザの下顎部と左右の鎖骨部に当接する部位に設けられた軟質のクッション部材とから成ることが好ましい。
支持具本体が硬質の素材で形成されることにより、下顎をしっかりと支持することが可能になる。支持具本体の材質としては、ポリプロピレン、ＡＢＳ樹脂、塩化ビニル樹脂、ポリエチレン、ポリスチレン、ポリエチレンテレフタレート、ポリカーボネート、アクリル樹脂などの硬質のプラスチックを好適に用いることができる。
【００１０】
また、身体に当接する３箇所の部位に、それぞれクッション部材が設けられることにより、長時間の使用でも快適性が損なわれない構造となっている。また、必要な箇所にのみクッション部材が設けられることにより、コンパクトで携帯性の高い下顎支持具とすることができる。クッション部材は、滑り止めの効果も有していることが好ましい。
軟質のクッション部材とは、硬質以外のクッション部材を指し、例えば半硬質のクッション部材も含む意味で用いている。下顎部に当接する部位に設けられるクッション部材の材質としては、半硬質タイプのポリウレタンフォームを好適に用いることができる。クッション部材の表面には、ポリエステルの２ＷＡＹの生地、すなわち縦横に伸縮性のある生地が貼られ、熱プレスで成型されることが好ましい。また、左右の鎖骨部に当接する部位に設けられるクッション部材の材質としては、エチレン酢酸ビニル（ＥＶＡ）のスポンジを好適に用いることができる。
このように、従来技術のあご枕とは異なり、硬質の素材と、軟質の素材を組み合わせることにより、コンパクトな形状としつつ、安定性と快適性を兼ね備えた支持具とすることができる。
【００１１】
本考案の下顎支持具において、支持具本体は、下顎支持部と、該下顎支持部から二股に延設される右鎖骨当接部と、左鎖骨当接部が設けられ、下顎支持部の下顎部当接面と右鎖骨当接部の鎖骨部当接面との成す角度と、下顎支持部の下顎部当接面と左鎖骨当接部の鎖骨部当接面との成す角度は、何れも４０〜５０°であることが好ましい。
下顎部当接面と左右の鎖骨部当接面との成す角度が、何れも４０〜５０°とされることにより、幅広いユーザにとって快適に使用でき、かつ使用中に落下し難い構造とすることができる。
【００１２】
本考案の下顎支持具において、クッション部材は、支持具本体の一部の外周縁に沿った形状を呈し、厚みが８〜１２ｍｍであることが好ましく、より好ましくは９〜１１ｍｍであり、更に好ましくは１０ｍｍである。
クッション部材の厚みが８ｍｍ未満であると鎖骨への固定が不十分となり、また、快適性が損なわれる。また、１２ｍｍを超えるとクッション性は高くなるが、頭部が沈み込み、首が痛くなりやすくなる。
【００１３】
本考案の下顎支持具は、支持具本体において、クッション部材が設けられない部位に、少なくとも１つの貫通孔が設けられたことが好ましい。
かかる構成とされることにより、比較的簡単な加工でストラップ係合部を設けることができる。ストラップ係合部には、公知の連結具を取り付けてもよいし、直接ストラップを結び付けてもよい。
【考案の効果】
【００１４】
本考案によれば、下顎を安定的に支持しつつ、快適に使用でき、しかもコンパクトで携帯性が高いといった効果を有する。
【図面の簡単な説明】
【００１５】
【図１】下顎支持具の外観斜視図
【図２】支持具本体の外観斜視図
【図３】支持具本体の平面図
【図４】下顎支持具の背面図
【図５】下顎支持具の側面図
【図６】下顎支持具の正面図
【図７】下顎支持具の使用イメージ図１
【図８】下顎支持具の使用イメージ図２
【図９】ストラップの取付イメージ図
【考案を実施するための形態】
【００１６】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１７】
図１は、下顎支持具の外観斜視図を示している。図１に示すように、下顎支持具１は、支持具本体２及びクッション部材（６３〜６５）で構成される。支持具本体２は、下顎支持部３、右鎖骨当接部４及び左鎖骨当接部５から成り、下顎支持部３から二股に延設されるように右鎖骨当接部４及び左鎖骨当接部５が設けられている。下顎支持部３の下顎部当接面３ａには、クッション部材６３が設けられている。また、右鎖骨当接部４の背面側にはクッション部材６４が設けられ、左鎖骨当接部５の背面側にはクッション部材６５が設けられている。
右鎖骨当接部４において、下顎支持部３から延設された部位に貫通孔７ａが設けられ、右鎖骨当接部４の端部と共にストラップ係合部８ａを形成している。同様に、左鎖骨当接部５において、下顎支持部３から延設された部位に貫通孔７ｂが設けられ、左鎖骨当接部５の端部と共にストラップ係合部８ｂを形成している。ストラップ係合部（８ａ，８ｂ）は、任意のストラップ等を取り付けることが可能であり、意図しない落下を防止できる構造である。貫通孔（７ａ，７ｂ）が設けられる部位は、かかる部位に限られず、クッション部材（６３〜６５）が設けられない部位であればよい。したがって例えば、下顎支持部３に設けられてもよい。
【００１８】
（支持具本体の形状について）
ここで、支持具本体２の形状について、図２及び３を参照しながら説明する。図２は、支持具本体の外観斜視図であり、背面側からの斜視図を示している。また、図３は、支持具本体の平面図を示している。
図２に示すように、支持具本体２において、下顎支持部３の下顎部当接面３ａは平面ではなく、中央が凹んだ形状となっている。具体的には、図３に示すように、下顎部当接面３ａの部位を例えば部位（１３ａ〜１３ｃ）の３つに分けると、部位１３ａが最も高く、部位１３ｂ、部位１３ｃの順に次第に高さが低くなっている。各部位は区切られているわけではなく、外側から内側になだらかに窪んだ形状となっている。かかる形状とされることにより、ユーザ（図示せず）の下顎部をしっかりと保持することができる。
また、右鎖骨当接部４又は左鎖骨当接部５についても、図２に示すように使用するユーザの胸部形状に沿うように、湾曲した形状となっている。右鎖骨当接部４の下方には鎖骨部当接面４ａ、左鎖骨当接部５の下方には鎖骨部当接面５ａが設けられ、下顎支持具１では、鎖骨部当接面（４ａ，５ａ）にそれぞれクッション部材（６４，６５）が設けられる。
なお、支持具本体２は、ポリプロピレンで形成されている。
【００１９】
（下顎支持具の機能について）
次に、下顎支持具の機能について図４〜８を参照しながら説明する。図４は、下顎支持具の背面図を示している。図４に示すように、右鎖骨当接部４には、クッション部材６４が右鎖骨当接部４の外縁形状に沿って設けられており、ユーザの右鎖骨部９ｂに当接して固定される。また、左鎖骨当接部５には、クッション部材６５が左鎖骨当接部５の外縁形状に沿って設けられており、ユーザの左鎖骨部９ｃに当接して固定される。そして、下顎支持部３には、クッション部材６３が下顎支持部３の外縁形状に沿って設けられており、ユーザの下顎部９ａを支持する。
クッション部材６３の材質は、芯材として触感やクッション性の良い半硬質タイプのポリウレタンフォームが用いられ、表面にはポリエステルの２ＷＡＹの生地が貼られ、熱プレスで成型されている。なお、図４等に示すクッション部材６３の角部は、デザイン性や使用感を向上させるため、丸みを帯びた形状に成形してもよい。
また、クッション部材（６４，６５）の材質は何れもエチレン酢酸ビニル（ＥＶＡ）のスポンジが用いられている。ＥＶＡスポンジは、粘りとクッション性に優れている。
クッション部材（６３〜６５）の厚みは、何れも１０ｍｍである。
クッション部材（６３〜６５）が設けられることにより、下顎部９ａが安定的に支持され、しかも長時間使用した場合でも下顎部９ａや右鎖骨部９ｂ、左鎖骨部９ｃが痛くならない。また、ユーザの身体形状には個人差があるが、クッション部材（６３〜６５）は弾性変形するため、ユーザの身体形状の違いを吸収する効果も得られる。
【００２０】
図７及び８は、下顎支持具の使用イメージ図を示している。図示していないが、図７及び８において、ユーザ９は椅子に着座している。
図７に示すように、ユーザ９は着座した状態で下顎支持具１を装着している。図８に示すように、ユーザ９の下顎部９ａは下顎支持部３によって支持され、右鎖骨当接部４は、ユーザ９の右鎖骨部９ｂに当接し固定されている。また、左鎖骨当接部５は、ユーザ９の左鎖骨部９ｃに当接し固定されている。そこで次に、鎖骨当接部とユーザの鎖骨部との固定構造について説明する。
【００２１】
図５は、下顎支持具の側面図であり、（１）は左側面図、（２）は右側面図を示している。図５（１）に示すように、右鎖骨当接部４においては、クッション部材６４がユーザの右鎖骨部９ｂに当接し、減り込むことで固定される。同様に、図５（２）に示すように、左鎖骨当接部５においては、クッション部材６５がユーザの右鎖骨部９ｃに当接し、減り込むことで固定される。これにより、ユーザの下顎部９ａが下顎支持部３上に載せられても、下顎支持具１は滑り落ちることなく、安定的に固定される構造である。
したがって、図７に示すように、ユーザ９は、下顎支持具１を装着することにより、仮眠をとっても頭部９ｄが前方に下がり、首部９ｅが不意に屈曲することを効果的に防止できる。下顎支持具１によれば、顔を伏せるための机等が無い場合でも、座ることができれば使用できるという利点がある。なお、図５（１）に示す下顎支持部３の下顎部当接面３ａと右鎖骨当接部４の鎖骨部当接面４ａとの成す角度θと、図５（２）に示す下顎支持部３の下顎部当接面３ａと左鎖骨当接部５の鎖骨部当接面５ａとの成す角度θは、何れも４５°となっている。
【００２２】
図６は、下顎支持具の正面図を示している。下顎支持具１は、下顎支持部３、右鎖骨当接部４及び左鎖骨当接部５の３箇所で下顎を支える構造であるため、コンパクトな形状で携帯性の高い形状となっている。
更に、図６に示すように、右鎖骨当接部４と左鎖骨当接部５の間には、間隙１２が形成されることになる。かかる箇所は、下顎支持具１の使用時においても負荷がかからないため、ユーザの喉元が圧迫されることはなく、快適に使用することができる。また例えば、ユーザがネクタイを着用している場合でも、間隙１２が設けられることにより、当該ネクタイの結び目と下顎支持具１が干渉しない構造である。
【００２３】
このように、本考案の下顎支持具１では、硬質の支持具本体２と軟質のクッション部材（６３〜６５）で構成され、しかも３箇所で固定するという比較的シンプルな構造で、安定的な支持と快適性を実現している。更に、図５に示す高さＨは１１５ｍｍ、図３に示す幅Ｗは１３０ｍｍ、奥行きＤは６０ｍｍと、携帯性を考えた軽量化、コンパクトな形状、高いデザイン性を実現している。これまでの一般的なトラベルピローでは、頭を持たれ掛けさせると枕部分が逃げてしまい、しっかりと頭部を支えることができなかったが、下顎部９ａで挟むことで頭部９ｄを支え首部９ｅが痛くなることが防止できる。
また前述した、下顎支持部３の下顎部当接面３ａや、右鎖骨当接部４又は左鎖骨当接部５は湾曲した形状となっていること、下顎支持部３、右鎖骨当接部４及び左鎖骨当接部５にはクッション部材（６３〜６５）が設けられていることに加えて、下顎支持部３、右鎖骨当接部４及び左鎖骨当接部５が設けられる位置及び角度が一体となって、首の長短や、胸板の厚い薄いなどの様々なユーザの体形にフィットした形状となっている。
【実施例２】
【００２４】
図９は、ストラップの取付イメージ図を示している。図９に示すように、本実施例では、下顎支持具１にストラップ１１が取り付けられている。ストラップ１１は、紐体１１ａと、紐体１１ａの両端部に設けられた２つの連結具１１ｂから成るが、かかる構成のストラップに限られず、多様なストラップを取り付けることが可能である。
本実施例では、下顎支持具１に貫通孔（７ａ，７ｂ）が設けられることで形成されたストラップ係合部（８ａ，８ｂ）に、ストラップ１１の連結具１１ｂが係合されている。このように、下顎支持具１にストラップ１１を取り付けることにより、ストラップ１１を首に掛けて携帯し、必要に応じて下顎支持具１を装着して使うといった利用が可能である。また、ストラップ１１は下顎支持具１の落下防止にも役立つ。
【産業上の利用可能性】
【００２５】
本考案は、着座した状態での仮眠用具として有用である。
【符号の説明】
【００２６】
１  下顎支持具
２  支持具本体
３  下顎支持部
３ａ  下顎部当接面
４  右鎖骨当接部
４ａ，５ａ  鎖骨部当接面
５  左鎖骨当接部
７ａ，７ｂ  貫通孔
８ａ，８ｂ  ストラップ係合部
９  ユーザ
９ａ  下顎部
９ｂ  右鎖骨部
９ｃ  左鎖骨部
９ｄ  頭部
９ｅ  首部
１１  ストラップ
１１ａ  紐体
１１ｂ  連結具
１２  間隙
１３ａ〜１３ｃ  部位
６３〜６５  クッション部材
θ  角度
【図１】
0003231323.tif 000003
【図２】
0003231323.tif 000004
【図３】
0003231323.tif 000005
【図４】
0003231323.tif 000006
【図５】
0003231323.tif 000007
【図６】
0003231323.tif 000008
【図７】
0003231323.tif 000009
【図８】
0003231323.tif 000010
【図９】
0003231323.tif 000011